(57)【要約】      （修正有）【課題】眼鏡を装着したときに痛みを感じにくく、また装着した眼鏡が外れにくい眼鏡フレーム用テンプルを提供する。【解決手段】眼鏡フレーム用テンプルを、眼鏡フレームのヨロイ４に基端側が連結されるテンプル本体６と、このテンプル本体６に連結され、顔の側面を挟むことができるモダン７と、で構成する。テンプル本体６とモダン７が第一のリンク１１を介して、第一のリンク１１がテンプル本体６に対してテンプル本体６の長手方向に直交する第一の軸１６の回りを相対的に回転でき、かつモダン７が第一のリンク１１に対して第一の軸１６と平行な第二の軸１７の回りを相対的に回転できるように連結される。そして、テンプル本体６とモダン７とが、モダン７がテンプル本体６に対して相対的にスライドでき、かつモダン７がテンプル本体６に対して第一及び第二の軸１６，１７と平行な第三の軸１３の回りを相対的に回転できるように連結される。【選択図】図２
2008102454.tif 000002
【特許請求の範囲】
【請求項１】
眼鏡フレームのヨロイに基端側が連結されるテンプル本体と、このテンプル本体に連結され、顔の側面を挟むことができる挟み体と、を有する眼鏡フレーム用テンプルにおいて、
前記テンプル本体と前記挟み体が第一のリンクを介して、前記第一のリンクが前記テンプル本体に対して前記テンプル本体の長手方向に直交する第一の軸の回りを相対的に回転でき、かつ前記挟み体が前記第一のリンクに対して前記第一の軸と平行な第二の軸の回りを相対的に回転できるように連結され、
そして、前記テンプル本体と前記挟み体とが、前記挟み体が前記テンプル本体に対して相対的にスライドでき、かつ前記挟み体が前記テンプル本体に対して前記第一及び前記第二の軸と平行な第三の軸の回りを相対的に回転できるように連結されることを特徴とする眼鏡フレーム用テンプル。
【請求項２】
眼鏡を装着した状態において、眼鏡が前方に引っ張られたとき、前記挟み体の後端（前記ヨロイとは反対側の前記挟み体の端）が顔の側面に向かって内側に回転することを特徴とする請求項１に記載の眼鏡フレーム用テンプル。
【請求項３】
眼鏡を外した状態において、前記挟み体の後端（前記ヨロイとは反対側の挟み体の端）が顔の側面から離間するように前記挟み体を回転させる弾性体が設けられることを特徴とする請求項１又は２に記載の眼鏡フレーム用テンプル。
【請求項４】
眼鏡を装着した状態において、前記テンプル本体の先端側を顔の側面から離間するように引っ張ると、前記挟み体の前端（前記ヨロイ側の挟み体の端）が顔の側面に向かって内側に回転することを特徴とする請求項１ないし３いずれかに記載の眼鏡フレーム用テンプル。
【請求項５】
眼鏡フレームのヨロイに基端側が連結されるテンプル本体と、テンプル本体に連結され、顔の側面を挟むことができる挟み体と、を有する眼鏡フレーム用テンプルにおいて、
前記テンプル本体と前記挟み体が第一のリンクを介して、前記第一のリンクが前記テンプル本体に対して前記テンプル本体の長手方向に直交する第一の軸の回りを相対的に回転でき、かつ前記挟み体が前記第一のリンクに対して前記第一の軸と平行な第二の軸の回りを相対的に回転できるように連結され、
そして、前記テンプル本体と前記挟み体が第二のリンクを介して、前記第二のリンクが前記テンプル本体に対して前記テンプル本体の長手方向に直交する第二のリンク用第一の軸の回りを相対的に回転でき、かつ前記挟み体が前記第二のリンクに対して第二のリンク用第一の軸と平行な第二のリンク用第二の軸の回りを相対的に回転できるように連結されることを特徴とする眼鏡フレーム用テンプル。
【請求項６】
請求項１ないし５いずれかの眼鏡フレーム用テンプルをヨロイに取り付けてなる眼鏡フレーム。
【請求項７】
請求項６に記載の眼鏡フレームに、レンズを取り付けてなる眼鏡。
【発明の詳細な説明】
【技術分野】
【０００１】
本発明は、眼鏡フレームのヨロイに連結され、眼鏡フレームを掛けたときに、顔の側面を挟むことができる眼鏡フレーム用テンプルに関する。
【背景技術】
【０００２】
一般的な眼鏡フレームは、レンズが嵌め込まれる左右一対のリムと、リムの外側にろう付けされるヨロイと、ヨロイに蝶番を介して連結される一対のテンプルと、で構成される。左右一対のリムはブリッジで連結され、左右一対のそれぞれには、鼻当てパッドが取り付けられる。テンプルの先端側のモダンは、眼鏡を掛けたときに耳の裏から後頭部に沿うように、下方にかつ内側に折り曲げられる。眼鏡の鼻当てパッドが鼻に当たり、テンプルのモダンが耳に架けられることで、眼鏡の自重が支えられる。テンプルはばね性を持つ。テンプルが顔の側面に押圧力を付与することで、顔に掛けられた眼鏡を安定させることができる。
【０００３】
テンプルが顔の側面に付与する押圧力が強いと、耳の後方に痛みを感じる。その一方、テンプルが顔の側面に付与する押圧力が弱いと、装着した眼鏡が安定しない。痛みを感じることなく、かつ眼鏡も安定するように、テンプルのばね力を調整することは容易なことではない。
【０００４】
この問題を解決するために、特許文献１には、テンプル先端の自由端に、モダンとしての挟持竿をテンプルの長手方向と直交するヒンジ軸を介して回転可能に取り付けた眼鏡フレームが開示されている。この眼鏡フレームにおいて、挟持竿は湾曲していて、その後端側が耳の後方を、その前端側が耳の前方のこめかみを押圧する。挟持竿の前後の二箇所が顔の側面を押圧するので、耳の後方に痛みを感じることなく、眼鏡を安定させることができる。
【０００５】
【特許文献１】特公平７−５６５３６号公報（１頁、図１参照）
【発明の開示】
【発明が解決しようとする課題】
【０００６】
しかし、上記従来の眼鏡フレームにあっては、運動などにより利用者が顔を動かし、眼鏡に前方に引っ張られる力が働いたときに、眼鏡が外れ易いという問題がある。テンプルに対して挟持竿がヒンジ軸を介して自由に回転するからである。外れにくくするためには、やはりテンプルのばね力を強くして、挟持竿が顔の側面を押す押圧力を強くする必要がある。こうなると、顔の側面に痛みを感じてしまう。
【０００７】
そこで本発明は、眼鏡を装着したときに痛みを感じにくく、また装着した眼鏡が外れにくい眼鏡フレーム用テンプル及び眼鏡フレームを提供することを目的とする。
【課題を解決するための手段】
【０００８】
以下本発明について説明する。なお、本発明の理解を容易にするために添付図面の参照番号を括弧書きにて付記するが、それにより本発明が図示の形態に限定されるものでない。
【０００９】
上記課題を解決するために、請求項１に記載の発明は、眼鏡フレームのヨロイ(4)に基端側が連結されるテンプル本体(6)と、このテンプル本体(6)に連結され、顔の側面を挟むことができる挟み体(7)と、を有する眼鏡フレーム用テンプル(8)において、前記テンプル本体(6)と前記挟み体(7)が第一のリンク(11)を介して、前記第一のリンク(11)が前記テンプル本体(6)に対して前記テンプル本体(6)の長手方向に直交する第一の軸(16)の回りを相対的に回転でき、かつ前記挟み体(7)が前記第一のリンク(11)に対して前記第一の軸(16)と平行な第二の軸(17)の回りを相対的に回転できるように連結され、そして、前記テンプル本体(6)と前記挟み体(7)とが、前記挟み体(7)が前記テンプル本体(6)に対して相対的にスライドでき、かつ前記挟み体(7)が前記テンプル本体(6)に対して前記第一及び前記第二の軸(16,17)と平行な第三の軸(13)の回りを相対的に回転できるように連結されることを特徴とする。
【００１０】
請求項２に記載の発明は、請求項１に記載の眼鏡フレーム用テンプルにおいて、眼鏡を装着した状態において、眼鏡が前方に引っ張られたとき、前記挟み体(7)の後端(7b)（前記ヨロイとは反対側の前記挟み体(7)の端）が顔の側面に向かって内側に回転することを特徴とする。
【００１１】
請求項３に記載の発明は、請求項１又は２に記載の眼鏡フレーム用テンプルにおいて、眼鏡を外した状態において、前記挟み体(7)の後端(7b)（前記ヨロイとは反対側の挟み体(7)の端）が顔の側面から離間するように前記挟み体(7)を回転させる弾性体(19)が設けられることを特徴とする。
【００１２】
請求項４に記載の発明は、請求項１ないし３いずれかに記載の眼鏡フレーム用テンプルにおいて、眼鏡を装着した状態において、前記テンプル本体(6)の先端側を顔の側面から離間するように引っ張ると、前記挟み体(7)の前端(7a)（前記ヨロイ側の挟み体(7)の端）が顔の側面に向かって内側に回転することを特徴とする。
【００１３】
請求項５に記載の発明は、眼鏡フレームのヨロイ(4)に基端側が連結されるテンプル本体(6)と、テンプル本体(6)に連結され、顔の側面を挟むことができる挟み体(7)と、を有する眼鏡フレーム用テンプル(8)において、前記テンプル本体(6)と前記挟み体(7)が第一のリンク(11)を介して、前記第一のリンクが前記テンプル本体(6)に対して前記テンプル本体(6)の長手方向に直交する第一の軸(16)の回りを相対的に回転でき、かつ前記挟み体(7)が前記第一のリンクに対して前記第一の軸(16)と平行な第二の軸(17)の回りを相対的に回転できるように連結され、そして、前記テンプル本体(6)と前記挟み体(7)が第二のリンク(23)を介して、前記第二のリンク(23)が前記テンプル本体(6)に対して前記テンプル本体(6)の長手方向に直交する第二のリンク用第一の軸(24)の回りを相対的に回転でき、かつ前記挟み体(7)が前記第二のリンクに対して前記第二のリンク用第一の軸(24)と平行な第二のリンク用第二の軸(25)の回りを相対的に回転できるように連結されることを特徴とする。
【００１４】
請求項６に記載の発明は、請求項１ないし５いずれかの眼鏡フレーム用テンプルをヨロイに取り付けてなる眼鏡フレームである。
【００１５】
請求項７に記載の発明は、請求項６に記載の眼鏡フレームに、レンズを取り付けてなる眼鏡である。
【発明の効果】
【００１６】
請求項１に記載の発明によれば、挟み体がテンプル本体に第一のリンク及びスライド機構を介して結合されるので、リンク装置が構成される。よって、テンプル本体に対して挟み体を、装着した眼鏡が前方に引っ張られたときに眼鏡が外れにくくなるように、回転させることができる。
【００１７】
請求項２に記載の発明によれば、装着した眼鏡が前方に引っ張られたとき、挟み体の後端が顔の側面に向かって内側に回転するので、装着した眼鏡が外れにくくなる。
【００１８】
請求項３に記載の発明によれば、装着前に、弾性部材が挟み体の後端が顔の側面から離間するように挟み体を回転させるので、眼鏡を装着し易くなる。
【００１９】
請求項４に記載の発明によれば、テンプル本体の先端側を顔の側面から離間するように撓ませると、挟み体の前端が顔の側面に向かって内側に回転するので、装着した眼鏡を取り外し易くなる。
テンプル本体に対する挟み体の運動を、装着した眼鏡が前方に引っ張られたときに眼鏡を外れにくくする旋回運動にすると、装着した眼鏡が外れにくい眼鏡フレーム用テンプルが得られる。
【００２０】
請求項５に記載の発明によれば、挟み体がテンプル本体に第一のリンク及び第二のリンク介して結合されるので、リンク装置が構成される。よって、テンプル本体に対して挟み体を、装着した眼鏡が前方に引っ張られたときに眼鏡が外れにくくなるように、回転させることができる。
【００２１】
本発明は、請求項６に記載の発明のように、眼鏡用フレームとしても構成することができ、請求項７に記載の発明のように眼鏡としても構成することができる。
【発明を実施するための最良の形態】
【００２２】
以下添付図面に基づいて、本発明の一実施形態における眼鏡フレーム用テンプルを説明する。図１は眼鏡フレーム用テンプルを用いた眼鏡の平面図を示す。左右一対のループ状のリム１には、左右一対のレンズ２が嵌められる。左右のリム１は、近接する部分がブリッジ３で連結されている。リム１の左右の端部には、ヨロイ４がろう付けされる。ヨロイ４にはテンプル８が蝶番部９を介して開閉自在に取り付けられる。ブリッジ３の下方のリム１には、鼻当て用のパッド１０が取り付けられる。
【００２３】
なお、本発明の眼鏡フレーム用テンプル８（以下、単にテンプル８という）は、いわゆるリムレスフレームを用いた眼鏡に適用することもできる。この場合、左右一対のレンズ２がブリッジ３によって直接連結され、左右一対のレンズ２の左右端にヨロイ４が直接取り付けられる。
【００２４】
蝶番部９は、ヨロイ４のテンプル側の端部に形成された雄型蝶番片に、テンプル８の基端側の端部に形成された雌型蝶番片を嵌め込み、これらに蝶番軸を貫通させたものである。雄型蝶番片は薄板に貫通孔を空けたものである。雌型蝶番片は二股構造を有し、二股構造の内部に雄型蝶番片が挟まれる。雌型蝶番片にも貫通孔が空けられる。雌型蝶番片に雄型蝶番片を挟み、これらに蝶番軸を貫通させることで、テンプル８をヨロイ４に開閉自在に取り付けることができる。蝶番軸は、ねじ部を有し、雌型蝶番片の二股構造のいずれかの貫通孔に加工した雌ねじにねじ込まれる。なお、ヨロイ４に雌型蝶番片を形成し、テンプル８に雄型蝶番片を形成してもよい。
【００２５】
テンプル８は、ヨロイ４に基端側が連結されるテンプル本体６と、テンプル本体６の先端部に連結される挟み体としてのモダン７と、を備える。図１の平面図において、テンプル８を開くと、テンプル本体６は、リム１と直交する方向に顔の側面に沿って直線状に細長く伸びる。モダン７は平面形状が三日月形状に形成される。すなわち、モダン７は全体が湾曲した円弧形状に形成されると共に、前後方向の両端部の幅が狭められる。モダン７は紙面と直交する方向に所定の肉厚を有する。モダン７の湾曲の外側の側面には、テンプル本体６の先端部が挿入される凹み１２が形成される（図５参照）。
【００２６】
図２は、テンプル本体６とモダン７の連結構造の詳細図を示す。テンプル本体６とモダン７とは、第一のリンク１１を介して連結されると共に、第一のリンク１１よりもテンプル本体６の後方側において、スライド機構１５を介して連結される。テンプル本体６と第一のリンク１１とは、第一のリンク１１がテンプル本体６に対してテンプル本体６の長手方向に直交する第一の軸１６の回りを相対的に回転できるように連結される。すなわち、テンプル本体６と第一のリンク１１とは回り対偶をなすように連結される。テンプル本体６には、二股構造の軸支持部６ａが形成される。第一の軸１６は、この軸支持部６ａに挟まれる。
【００２７】
モダン７と第一のリンク１１とは、第一のリンク１１がモダン７に対して第一の軸１６と平行な第二の軸１７の回りを相対的に回転できるように連結される。すなわち、モダン７と第一のリンク１１とは回り対偶をなすように連結される。第二の軸１７はモダン７の凹み１２の対向する壁面間に挟まれる。第一のリンク１１は長手方向の両端部が第一及び第二の軸１６，１７に巻きつく。
【００２８】
テンプル本体６の先端部には、テンプル本体６の長手方向に伸びる長孔１４が形成される。この長孔１４にモダン７に設けた第三の軸１３がスライド可能に組み込まれる。第三の軸１３はモダン７の凹み１２の対向する壁面間に挟まれる。第三の軸１３は第一および第二の軸１６，１７と平行である。モダン７はテンプル本体６に対してテンプル本体６の長手方向に相対的にスライドでき、かつ第三の軸１３の回りを相対的に回転できる。ここで、第三の軸１３を、モダン７とテンプル本体６を連結する第二のリンクとみなすこともできる。第三の軸１３を第二のリンクとみなすと、テンプル本体６と第二のリンクとはすべり対偶をなすように連結され、モダン７と第二のリンクとは回り対偶をなすように連結される。なお、この実施形態では、テンプル本体６にその長手方向に伸びる長孔１４を形成し、モダン７に長孔１４に嵌められる第三の軸１３を設けているが、これとは逆に、モダン７にその長手方向に伸びる長孔１４を形成し、テンプル本体６にモダン７の長孔１４に嵌められる第三の軸１３を設けてもよい。
【００２９】
モダン７本体と第一のリンク１１との間には、弾性体として、ヘアピン形状のトーションばね１９が設けられる。トーションばね１９の一方の脚部がテンプル本体６に当接し、他方の脚部が第一のリンク１１に当接する。眼鏡を外した状態において、このトーションばね１９のばね力によって、第一のリンク１１が第一の軸１６を中心として図中(1)の方向に回転する。第一のリンク１１の図中(1)の方向への回転によって、モダン７がテンプル本体６に対して第三の軸１３を中心にして回転し、第三の軸１３が長孔１４内を手前側にスライドする。すなわち、モダン７の前端７ａが顔の側面に向かって内側に（図中(2)の方向に）回転し、モダン７の後端７ｂが顔の側面から離間するように回転する。そして、モダン７はテンプル本体６に対して、最も手前側にスライドする。図１に示されるように、眼鏡の装着前には、モダン７はトーションばね１９のばね力によって、一対のモダン７の後端が開いている状態を保つ。
【００３０】
図３ないし図５は、眼鏡の装着動作を開始した状態を示す。図３は利用者の頭と眼鏡の平面図を示し、図４は図３のIV部拡大図を示し、図５はモダン７の斜視図を示す。この状態では、眼鏡のモダン７は利用者のどこにも当接していないので、図１に示されるモダン７と同様にの後端が開いている状態を保つ。
【００３１】
図６ないし図８は、眼鏡を装着中の状態示す。図６は利用者の頭と眼鏡の平面図を示し、図７は図６のVII部拡大図を示し、図８はモダン７の斜視図を示す。眼鏡を掛けはじめると、図７に示されるように、モダン７の前端７ａが顔に当接し、モダン７の前端７ａが図中(1)方向に回転する。モダン７の前端７ａが(1)方向に回転すると、第一のリンク１１がトーションばね１９のばね力に抗して(2)方向に回転し、モダン７の第三の軸１３がテンプル本体６の長孔１４内を奥の方にスライドする。すなわち、モダン７は回転しながら奥の方へもスライドする。この段階では、図７及び図８に示されるように、モダン７の前端７ａは顔の側面に当接するが、モダン７の後端７ｂは顔の側面には当接していない。
【００３２】
図９ないし図１１は、さらに眼鏡を顔の奥まで移動させて、最終的に眼鏡を装着した状態を示す。図９は利用者の頭と眼鏡の平面図を示し、図１０は図９のX部拡大図を示し、図１１はモダン７の斜視図を示す。図９及び図１０に示されるように、モダン７の前端７ａはさらに図中(1)方向に回転し、モダン７の第三の軸１３はテンプル本体６の長孔１４の最も奥までスライドする。モダン７は顔の側面形状に合わせて回転しながら徐々に奥の方にスライドする。そして、図１１に示されるように、最終的には湾曲したモダン７の内側面７ｃの全体が顔の側面に密着する。図９に示されるように、眼鏡を装着した状態では、リムに取り付けた鼻当て用のパッド１０が鼻に当接する。
【００３３】
図１２及び図１３は、眼鏡を装着した状態において、眼鏡が前方に引っ張られたときに、眼鏡の各構成部品に加わる力を示す。図１２に示されるように、眼鏡が前方に（図中(1)方向に）引っ張られたとき、図１３に示されるように、テンプル本体６にも前方に（図中(2)方向に）引っ張り力が働く。モダン７は顔の側面に密着しているので、テンプル本体６を図１３中(2)方向に引っ張ると、第一のリンク１１とモダン７本体が平行になろうとし、モダン７の第二の軸１７には、図中(3)方向の力が働く。モダン７の第二の軸１７に(3)方向の力が働くと、第一のリンク１１の延長線２１と第三の軸１３から引いたテンプル本体６に直交する線２２と交差する点を瞬間中心Ｐにして、モダン７が回転する。モダン７の後端７ｂが顔の側面に向かって内側に（図中(4)方向に）回転するので、モダン７の後端７ｂが顔の側面をより押圧する。よって、眼鏡が外れにくくなる。
【００３４】
図１４及び図１５は、眼鏡を取り外す際に、眼鏡の各構成部品に加わる力を示す。図１４は眼鏡の平面図を示し、図１５は図１４のXV部拡大図を示す。図１５に示されるように、眼鏡を取り外すときには、テンプル本体６の先端側６ｂを顔の側面から離間するように図中(1)方向に引っ張る。テンプル本体６が顔の側面から離間するように撓むと、第一のリンク１１がトーションばね１９のばね力によって、第一の軸１６を中心にして図中(2)方向に回転する。第一のリンク１１が図中(2)方向に回転すると、モダン７が瞬間中心を中心にして回転し、モダン７の前端７ａが顔の側面に向かって内側に（図中(3)方向に）回転しようとする。モダン７は回転と共にテンプル本体６に対して手前側にスライドする。よって、眼鏡が外れやすくなる。
【００３５】
図１６は、テンプル本体６、第一のリンク１１、モダン７、第三の軸１３から構成されるリンク装置を表したスケルトンを示す。このリンク装置は三つの回り対偶と一つのすべり対偶を組み合わせた機構であるので、機構学的にはスライダクランク連鎖と呼ばれる。
【００３６】
図１７は、リンク装置の他の例を示す。上記実施形態では、リンク装置がスライダクランク連鎖となっているのに対し、この例のリンク装置は、四つのリンクがすべて回り対偶によって連鎖をなす四節回転連鎖となっている。具体的には、モダン７とテンプル本体６とが第一のリンク１１を介して、第一のリンク１１がテンプル本体６に対してテンプル本体６の長手方向に直交する第一の軸１６の回りを相対的に回転でき、かつモダン７が第一のリンク１１に対して第一の軸１６と平行な第二の軸１７の回りを相対的に回転できるように連結される。そして、テンプル本体６とモダン７が第二のリンク２３を介して、第二のリンク２３がテンプル本体６に対してテンプル本体６の長手方向に直交する第二のリンク用第一の軸２４の回りを相対的に回転でき、かつモダン７が前記第二のリンクに対して第二のリンク用第一の軸２４と平行な第二のリンク用第二の軸２５の回りを相対的に回転できるように連結される。このように本発明の眼鏡フレーム用テンプルのリンク装置は、四節回転連鎖から構成されてもよい。
【図面の簡単な説明】
【００３７】
【図１】本発明の第一実施形態における眼鏡フレーム用テンプルを用いた眼鏡の平面図
【図２】図１のII部詳細図
【図３】眼鏡の平面図（眼鏡の装着動作を開始した状態）
【図４】図３のIV部拡大図（眼鏡の装着動作を開始した状態）
【図５】モダンの斜視図（眼鏡の装着動作を開始した状態）
【図６】眼鏡の平面図（眼鏡を装着中の状態）
【図７】図６のVII部拡大図（眼鏡を装着中の状態）
【図８】モダンの斜視図（眼鏡を装着中の状態）
【図９】眼鏡の平面図（眼鏡を装着後の状態）
【図１０】図９のX部拡大図（眼鏡を装着後の状態）
【図１１】モダンの斜視図（眼鏡を装着後の状態）
【図１２】眼鏡の平面図（眼鏡を装着後に引っ張り力が加わった状態）
【図１３】図１２のXIII部拡大図（眼鏡を装着後に引っ張り力が加わった状態）
【図１４】眼鏡の平面図（眼鏡を外す状態）
【図１５】図１４のXV部拡大図（眼鏡を外す状態）
【図１６】リンク装置のスケルトンを示す図
【図１７】リンク装置の他の例のスケルトンを示す図
【符号の説明】
【００３８】
４…ヨロイ
６…テンプル本体
７…モダン（挟み体）
７ａ…前端
７ｂ…後端
８…テンプル
１１…第一のリンク
１３…第三の軸
１４…長孔
１５…スライド機構
１６…第一の軸
１７…第二の軸
２３…第二のリンク
２４…第二のリンク用第一の軸
２５…第二のリンク用第二の軸
【図１】
2008102454.tif 000003
【図２】
2008102454.tif 000004
【図３】
2008102454.tif 000005
【図４】
2008102454.tif 000006
【図５】
2008102454.tif 000007
【図６】
2008102454.tif 000008
【図７】
2008102454.tif 000009
【図８】
2008102454.tif 000010
【図９】
2008102454.tif 000011
【図１０】
2008102454.tif 000012
【図１１】
2008102454.tif 000013
【図１２】
2008102454.tif 000014
【図１３】
2008102454.tif 000015
【図１４】
2008102454.tif 000016
【図１５】
2008102454.tif 000017
【図１６】
2008102454.tif 000018
【図１７】
2008102454.tif 000019